(57)【要約】【課題】熱源機の冷房負荷を考慮してファンの周波数制御の適正化を図る。【解決手段】本発明の冷却塔は、熱源機の熱負荷から戻される高温の冷却水を空気中に散布し、ファンの回転に伴う空気の通流による蒸発潜熱で冷却水を冷却して再び熱源機の熱負荷に循環供給するとともに、冷却された冷却水の温度を検出して、冷却水の検出温度（冷却水入口温度：ＣＴＩ）とあらかじめ設定された冷却水の目標温度（Ｍｐ：２８℃）との偏差に比例してファンの周波数を制御する制御手段を備えて構成される。特に、制御手段は、熱源機の冷房負荷を検出して、検出された負荷（例えばインプット１００％、インプット２５％）に応じて制御の比例ゲインを変更することにより、ＣＴＩとファンの周波数との対応関係を適切なものに補正して、ファンの周波数制御の適正化を図る。【選択図】図３
2010060204.tif 000002
【特許請求の範囲】
【請求項１】
熱源機の熱負荷から戻される高温の冷却水を空気中に散布し、ファンの回転に伴う空気の通流による蒸発潜熱で前記冷却水を冷却して再び前記熱源機の熱負荷に循環供給するとともに、前記冷却された冷却水の温度を検出して、あらかじめ設定された前記冷却水の検出温度と前記ファンの周波数との対応関係に基づいて前記ファンの周波数を制御する制御手段を備えてなる冷却塔において、
前記制御手段は、前記熱源機の冷房負荷を検出して、該検出された負荷に応じて前記冷却水の検出温度と前記ファンの周波数との対応関係を補正することを特徴とする冷却塔。
【請求項２】
前記制御手段は、前記検出された負荷が小さくなるにつれて前記冷却水の検出温度に対応して設定されている前記ファンの周波数の少なくとも一部を小さく補正する請求項１の冷却塔。
【請求項３】
前記制御手段は、前記冷却水の検出温度とあらかじめ設定された前記冷却水の目標温度との偏差に比例して前記ファンの周波数を制御し、
前記検出された負荷に応じて前記制御の比例ゲインを変更する請求項１の冷却塔。
【請求項４】
前記制御手段は、前記検出された負荷が小さくなるにつれて前記比例ゲインを小さくする請求項３の冷却塔。
【請求項５】
前記熱源機は吸収式冷温水機であり、
前記制御手段は、前記熱源機の冷房負荷として、前記吸収式冷温水機の冷房負荷から戻される流体の温度、或いは前記吸収式冷温水機の再生器への入熱量を検出する請求項１の冷却塔。
【請求項６】
前記制御手段は、前記冷却水の検出温度が、あらかじめ設定された時間以上継続して、前記冷却水の検出温度の上昇にともない前記ファンの周波数が設定上限周波数になる高温閾値温度より高い場合、前記目標温度を高くする請求項３の冷却塔。
【請求項７】
前記制御手段は、前記冷却水の検出温度が、あらかじめ設定された時間以上継続して、前記冷却水の検出温度が下降して前記ファンの周波数がファンを停止させる場合を除く設定下限周波数になる低温閾値温度より低い場合、前記目標温度を低くする請求項３の冷却塔。
【請求項８】
前記制御手段は、前記冷却された冷却水の検出温度と前記目標温度との偏差と、前記偏差の積分成分と、前記偏差の微分成分とに比例して前記ファンの周波数を制御する請求項３の冷却塔。
【請求項９】
熱源機と、請求項１乃至７のいずれかの冷却塔と、前記熱源機の熱負荷から戻される高温の冷却水を前記冷却塔へ導く配管と、前記冷却塔で冷却された冷却水を前記熱源機の熱負荷へ導く配管とを備えて構成される熱源機システム。
【発明の詳細な説明】
【技術分野】
【０００１】
本発明は、冷却塔及び熱源機システムに係り、特に、冷却塔のファンの回転周波数の制御技術に関する。
【背景技術】
【０００２】
例えば吸収式冷温水機などの熱源機で熱負荷を冷却して高温になった冷却水は、配管を介して冷却塔へ導かれ、冷却塔で冷却された後再び配管を介して熱源機の熱負荷に循環供給される。冷却塔は、熱源機から導かれた高温の冷却水をケーシング内に散布し、冷却塔に設けられたファンにより蒸発潜熱で冷却するものとして知られている。
【０００３】
ところで、近年の省エネルギー要求に対応すべく、熱源機と冷却塔からなる熱源機システムの省エネルギー研究がなされており、熱源機自体の効率向上はある程度なされてきた。
【０００４】
しかし、熱源機自体の省エネルギー化だけでは不十分であり、例えば冷却水を熱源機と冷却塔との間で搬送するポンプや冷却塔に用いられるファンの動力の効率向上が求められている。
【０００５】
この点、特許文献１に記載されているように、冷却塔で冷却された冷却水の温度を検出し、この検出温度に応じて冷却塔のファンの回転数をインバータで周波数可変に制御することによりファンの効率を高めることが知られている。
【０００６】
すなわち、従来は冷却水温度がある設定温度（例えば２７℃）以上になったらファンを１００％の周波数で駆動し、ある設定温度（例えば２４．５℃）以下になったらファンを停止する、いわゆるオン−オフ制御であったので、ファンの起動及び停止が頻繁に発生してファン効率の観点から好ましくなかった。これに対して、特許文献１では、検出温度が下限設定温度（例えば２４．５℃）と上限設定温度（例えば２７℃）との間にあるときは、検出温度に１対１に対応してほぼ比例するように設定された周波数でファンを駆動することにより、ファンの起動及び停止の回数を低減することができるとされている。
【０００７】
【特許文献１】特開平５−３４０６９０号公報
【発明の開示】
【発明が解決しようとする課題】
【０００８】
ところで、特許文献１に記載されているような従来のファンの周波数制御技術は、熱源機の冷房負荷を考慮してファン周波数の適正化を図ることについては配慮されていない。
【０００９】
すなわち、特許文献１に記載されている技術は、冷却水の検出温度とファン周波数との対応関係が固定されて設定されているため、熱源機の冷房負荷にかかわらず固定された対応関係に基づいた周波数でファンが駆動される。
【００１０】
しかしながら、熱源機の冷房負荷が変動する場合、必ずしも検出温度に対応して定められている周波数が適切なものになるとは限らない。例えば熱源機の冷房負荷が変動して小さくなった場合、適切な周波数より高い周波数でファンが駆動されることとなり、省エネルギーの観点から好ましくないし、過冷却により冷却水温度が下がり目標温度に適切に制御されないおそれがある。
【００１１】
そこで、本発明は、熱源機の冷房負荷を考慮してファンの周波数制御の適正化を図ることを課題とする。
【課題を解決するための手段】
【００１２】
本発明の冷却塔は、熱負荷から戻される高温の冷却水を空気中に散布し、ファンの回転に伴う空気の通流による蒸発潜熱で冷却水を冷却して再び熱負荷に循環供給するとともに、冷却された冷却水の温度を検出して、あらかじめ設定された冷却水の検出温度とファンの周波数との対応関係に基づいてファンの周波数を制御する制御手段を備えて構成される。
【００１３】
特に、制御手段は、熱源機の冷房負荷を検出して、この検出された負荷に応じて冷却水の検出温度とファンの周波数との対応関係を補正することを特徴としている。
【００１４】
これによれば、熱源機の冷房負荷が変動する場合に、この変動に追従して冷却水の検出温度とファンの周波数との対応関係を適切なものに補正することができる。
【００１５】
具体的には、制御手段は、検出された負荷が小さくなるにつれて冷却水の検出温度に対応して設定されているファンの周波数の少なくとも一部を小さく補正する。つまり、熱源機の負荷が変動して小さくなる場合は、高負荷の場合に比べて低めの周波数でファンを駆動して冷却水の冷却能力を下げるのが好ましい。これによれば、実際の負荷より大きな負荷に対応した高い周波数でファンを駆動することを抑制して省エネルギー化を図ることができ、かつ冷却水の過冷却を抑制して冷却水温度を目標温度に適切に制御することができる。一方、検出された負荷が大きくなれば冷却水の検出温度に対応して設定されているファンの周波数を大きく補正して冷却能力を上げることにより、冷却水を適切に冷却する。
【００１６】
また、制御手段は、冷却水の検出温度とあらかじめ設定された冷却水の目標温度との偏差に比例してファンの周波数を制御する、いわゆるＰ制御を行うよう構成することができる。この場合は、検出された負荷に応じて制御の比例ゲインを変更すればよい。具体的には、検出された負荷が小さくなるにつれて比例ゲインを小さくする。この比例ゲインは、各偏差成分項と冷却水温度が目標温度になっているときの操作量の両方にかかるものとする。
【００１７】
つまり、比例ゲインを変更することにより上述と同様に、冷却水の検出温度に対応するファンの周波数を補正することができるので、熱源機の負荷に応じた適切な周波数でファンを駆動することができる。
【００１８】
また、いわゆるＰ制御のみならず、冷却された冷却水の検出温度と目標温度との偏差と、偏差の積分成分と、偏差の微分成分とに比例してファンの周波数を制御するいわゆるＰＩＤ制御において、検出された負荷に応じて比例ゲインを変更してもよい。
【００１９】
また、熱源機を吸収式冷温水機で構成する場合、制御手段は、熱源機の冷房負荷として、吸収式冷温水機の冷房負荷から戻される流体の温度、或いは吸収式冷温水機の再生器への入熱量を検出することができる。
【００２０】
また、制御手段は、冷却水の検出温度が、あらかじめ設定された時間以上継続して、冷却水の検出温度の上昇にともないファンの周波数が設定上限周波数になる高温閾値温度より高い場合、目標温度を高くすることができる。つまり、ある時間以上継続して冷却水温度が高温閾値温度より高いということは、熱源機の負荷が高く、かつ冷却水の目標温度に対する検出温度の偏差が大きい状態を示しており、ファンを継続して設定上限周波数で駆動し続けることは省エネルギーの観点から好ましくない。そこで、この場合は目標温度を高くする、言い換えれば現在の冷却水温度に目標温度を近づけることにより、冷却水の目標温度と検出温度との偏差を小さくしてファンの周波数を低減させ、その結果、省エネルギー化を図ることができる。
【００２１】
一方、冷却水の検出温度が、あらかじめ設定された時間以上継続して、冷却水の検出温度が下降してファンの周波数がファンを停止させる場合を除く設定下限周波数になる低温閾値温度より低い場合、目標温度を低くすることができる。この場合も上述と同様に冷却水の目標温度に対する検出温度の偏差が大きい状態を示しているので、目標温度を低くして偏差を小さくすることにより、ファンの周波数を低減させてファンの発停を極力避けることにより冷却水が安定するので、システム全体として省エネルギー化を図ることができる。
【００２２】
また、熱源機と、冷却塔と、熱源機の熱負荷から戻される高温の冷却水を冷却塔へ導く配管と、冷却塔で冷却された冷却水を熱源機の熱負荷へ導く配管とを備えて構成される熱源機システムにおいて、上述の冷却塔ファンの周波数制御を採用することができる。
【発明の効果】
【００２３】
本発明によれば、熱源機の冷房負荷を考慮してファンの周波数制御を行って省エネルギー化を図ることができる。
【発明を実施するための最良の形態】
【００２４】
以下、本発明を適用してなる冷却塔及び熱源機システムの実施形態を説明する。図１は、本実施形態の熱源機システムの全体構成を示す図である。図１に示すように熱源機システム１００は、冷却塔１０と、熱源機２０と、冷却水配管３０とを備えて構成されている。
【００２５】
冷却塔１０は、筒状のケーシング１１を備え、ケーシング１１の下部の側面に空気流入口１２が形成され、底部に冷却水の水槽１３が設けられている。空気流入口１２はルーバ状に形成されている。また、空気流入口１２の位置よりも上方のケーシング１１内に充填材１４が収容され、充填材１４の上方に、冷却水の散水ノズル１５が配設されている。
【００２６】
また、ケーシング１１の頂部に開口１６が設けられ、その開口１６には固定具１７によってファンモータ１８が固定されるとともに、ファンモータ１８の回転軸にはファン１９が固定されている。なお、冷却塔１０の水槽１３への冷却水の補給水は、図示しないボールタップ等を有する給水口から供給される。
【００２７】
冷却水配管３０は、往管３１及び復管３２から構成される。往管３１には、冷却塔１０から熱源機２０のほうへ向けて順に冷却水ポンプ３３と逆止弁３４が配置されている。冷却水ポンプ３３の吸引口は水槽１３の底部近傍に連通されている。冷却水ポンプ３３の吐出口は逆止弁３４を介して熱源機２０の熱負荷と熱交換可能な図示していない熱交換器に連結されている。往管３１の逆止弁３４と図示していない熱交換器との間（熱源機２０の入口部）には、冷却水温度センサー５１が設けられており、この冷却水温度センサー５１の出力信号は、後述する運転制御装置５０に入力される。
【００２８】
復管３２には電動三方弁４１と、この電動三方弁４１がバイパス指令で開放したときに復管３２の冷却水を水槽１３に導くバイパス配管４２が設けられている。
【００２９】
運転制御装置５０は、制御装置５３とインバータ装置５５とを備えて構成される。制御装置５３は、冷却水温度センサー５１の検出温度信号及び後述するガス流量センサーによる検出ガス流量に応じてあらかじめ設定されている周波数でファンモータ１８及びファン１９を回転駆動させる周波数信号を形成してインバータ装置５５に与える。
【００３０】
また、制御装置５３は、冷却水温度センサー５１からの検出温度信号を基にバイパス指令信号を形成して電動三方弁４１に与えて冷却水をバイパスさせる。例えば、冷却水の検出温度が下限設定温度（例えば２４℃）以下になると、電動三方弁４１を切り替えて、熱源機２０からの戻り冷却水を直接冷却塔１０の水槽１３へ落下させることにより、冷却水が過冷却されることを防止する。
【００３１】
なお、本実施形態においては説明の便宜上、制御装置５３は冷却塔１０及び熱源機２０とは独立して設けているが、冷却塔１０に付属して設けて冷却塔１０の１構成要素とすることもできるし、或いは熱源機２０に付属して設けて熱源機システム１００の１構成要素とすることもできる。
【００３２】
また、本実施形態の熱源機２０は吸収式冷温水機で構成されている。図１に示すように、熱源機２０である吸収式冷温水機は、再生器６０、分離器６１、凝縮器６２、蒸発器６３、及び吸収器６４などを配管接続して吸収冷凍サイクルを形成して構成されている。冷却塔１０で冷却された冷却水は、吸収器６４及び凝縮器６２などを通流して吸収式冷温水機の冷媒と熱交換して高温になった後、再び冷却塔１０に戻されるようになっている。
【００３３】
また、本実施形態の特徴構成として、吸収式冷温水機の冷房負荷（以下、適宜単に吸収式冷温水器の負荷という）を検出するために再生器６０への入熱量を検出するガス流量センサー６５が設けられており、このガス流量センサー６５で検出された信号が制御装置５３に入力されるようになっている。
【００３４】
バーナの燃焼熱を利用して駆動される直焚き型吸収式冷温水機では本実施形態のように再生器６０への入熱量としてガス流量を検出すればよい。一方、排熱を利用して駆動される排熱型吸収式冷温水機を採用する場合、排熱の入熱量を検出するセンサーを用いればよい。また、吸収式冷温水機の負荷を検出するために、吸収式冷温水機の負荷から戻される例えば冷水などの流体の温度を検出してもよい。
【００３５】
なお、熱源機２０は吸収式冷温水機に限らず、冷却塔１０で冷却された冷却水を用いて熱負荷を冷却する必要があるような機器を採用することができる。この場合も、熱源機２０の冷房負荷を検出するセンサー等を適宜設けて、検出された信号を制御装置５３に入力するよう構成することができる。
【００３６】
図２は、制御装置５３の詳細構成を示すブロック図である。図２に示す制御装置５３は、中央処理装置５３１と、記憶装置５３２と、入力信号部５３３と、出力信号部５３４などから構成されている。制御装置５３は、冷却塔１０の運転開始にともなって動作を開始するようになっている。すると、中央処理装置５３１は、記憶装置５３２に記憶されているプログラムに基づいて動作し、冷却水温度センサー５１及びガス流量センサー６５から入力信号部５３３を介して取り込まれたデータに応じて、あらかじめ設定されている周波数でファンモータ１８及びファン１９を回転駆動させる周波数信号を形成して、出力信号部５３４を介してインバータ装置５５に供給できるように構成されている。
【００３７】
ところで、このような熱源機システム１００では、従来、冷却水の冷却水温度センサー５１による検出温度が下限設定温度と上限設定温度との間の目標温度に保たれるようにファン１９の回転周波数が制御される。例えば、目標温度より検出温度が高くなればファンの周波数を高く、検出温度が低くなればファンの周波数を低くするように、検出温度に比例するようにファン周波数を設定して、検出温度に対応する周波数でファン１９を駆動することが知られている。
【００３８】
ところが、このような従来技術では、熱源機２０の冷房負荷を考慮してファン１９の周波数の適正化を図ることについては配慮されていない。
【００３９】
すなわち、従来技術では、単に冷却水温度を検出して、あらかじめ固定して設けられた冷却水の検出温度とファン周波数との対応関係に基づいてファンの周波数を制御している。このため、熱源機２０の冷房負荷にかかわらず固定された対応関係に基づいた周波数でファン１９が駆動される。
【００４０】
しかしながら、熱源機２０の冷房負荷が変動する場合、必ずしも検出温度に対応して定められている周波数が適切なものになるとは限らない。例えば熱源機２０の冷房負荷が変動して小さくなった場合、適切な周波数より高い周波数でファンが駆動されることとなり、省エネルギーの観点から好ましくないし、過冷却により冷却水温度が下がり目標温度に適切に制御されないおそれがある。
【００４１】
本実施形態の熱源機システム１００及び冷却塔１０は、このような問題に対応すべくなされたものである。以下、本実施形態の熱源機システム１００及び冷却塔１０の特徴部である制御装置５３のファンの周波数制御内容について実施例ごとに詳細を説明する。
【実施例１】
【００４２】
本実施例の制御装置５３は、あらかじめ設定された冷却水の目標温度（以下、適宜Ｍｐという）と冷却水の検出温度（以下、適宜ＣＴＩという）との偏差、偏差の積分、及び偏差の微分の３つの要素に比例していわゆるＰＩＤ制御によりファン１９の周波数制御を行なう。
【００４３】
ＰＩＤ基本制御式は以下の（数１）で表される。
（数１）
ｍ（ｎＴｓ）＝Ｋ×（１／１００）×（Ｐ成分項＋Ｉ成分項＋Ｄ成分項＋Ｍｏ）
数１式における各成分項は以下の（数２）〜（数４）で表される。
（数２）
Ｐ成分項＝（１／Ｐ）×ｅ（ｎＴｓ）×１００
（数３）
Ｉ成分項＝（１／Ｐ）×（Ｔｓ／Ｔｉ）×Σｅ（ｉＴｓ）×１００
（数４）
Ｄ成分項＝（１／Ｐ）×（Ｔｄ／ａ×Ｔｓ）×｛ｅ（ｎＴｓ）−ｅ（（ｎ−ａ）Ｔｓ）｝×１００
ここで、数１〜数４式における変数は以下の通りである。
ｍ（ｎＴｓ）：ｎ番目の出力、Ｋ：比例ゲイン（全操作量）、Ｐ：比例帯（比例操作範囲）、ｅ（ｎＴｓ）：ｎ番目の偏差（目標温度との差）、Ｔｓ：サンプリング時間（ｓ）、Ｔｉ：積分時間（ｓ）、Ｔｄ：微分時間（ｓ）、ａ×Ｔｓ：微分周期（ｓ）、ｅ（（ｎ−ａ）Ｔｓ）：（ｎ−ａ）番目の出力、Ｍｏ：目標温度での操作量（％）
なお、Ｍｏは、熱源機のある特定の負荷時の代表値（例えば５０％など）である。
【００４４】
例えば、Ｍｐを２８℃に設定したとすると、Ｍｐ：２８℃に対する現在のＣＴＩの偏差がＰ成分項（比例成分）となるため、偏差が大きくなればＰ成分項が大きくなる。Ｉ成分項（積分成分）は、Ｍｐ：２８℃と現在のＣＴＩの偏差を、一定の間隔で継続的に積分しているため、目標温度から離れている時間が長ければ長いほど、偏差が大きければ大きいほどＩ成分項は大きくなる。Ｄ成分項（微分成分）は外乱などによる急変動に対応するための成分であり、この急変動に対して是正するような出力をなすものである。
【００４５】
制御装置５３は、再生器６０の燃焼信号が入った時点からＰＩＤ制御の演算を開始し、制御周期ごとに入力されるＣＴＩと数１式に基づいてファン１９の周波数を順次演算して出力し、燃焼停止により演算を停止する。このようなＰＩＤ制御によれば、目標温度をピンポイントで設定することが可能となり、外乱に対する追従性が向上する。
【００４６】
また、これに加えて本実施例の特徴として、制御装置５３にはガス流量センサー６５で検出された再生器６０へのガス流量、言い換えれば吸収式冷温水機の負荷に相関する再生器６０への入熱量（或いは再生器６０の燃焼量、インプット）が入力される。制御装置５３は、検出された吸収式冷温水機の負荷に応じて上述の式１における制御の比例ゲイン（Ｋ）を変更する。この点について、図３を用いて説明する。
【００４７】
図３は、本実施例の制御装置５３の冷却水の検出温度とファン１９の周波数との対応関係を示す図である。図３において、横軸は冷却水温度センサー５１で検出された冷却水入口温度（℃）（以下、適宜ＣＴＩという）であり、縦軸はファン１９の周波数の定格を１００％とした割合を示している。なお、図３は冷却水の目標温度と検出温度との偏差に比例してファン１９の周波数を制御する、いわゆる比例制御（Ｐ制御）の内容を示す図である。
【００４８】
図３に示すように、ＣＴＩが２４℃より低い場合はファン１９をＯＦＦする。ＣＴＩが２４℃未満から上昇して２５℃になったら、ファン１９を起動して５０％の周波数で駆動するとともに、ＣＴＩが２５℃〜２６℃の間は一律に５０％の周波数で駆動する。
【００４９】
一方、ＣＴＩが２６℃以上になると、吸収式冷温水機の負荷に相関する再生器６０への入熱量（再生器６０の燃焼量、インプット）が１００％の場合と２５％の場合のそれぞれで、冷却水の検出温度とファン１９の周波数との対応関係が異なっている。すなわち、再生器６０への入熱量に応じて上述の式１における制御の比例ゲイン（Ｋ）の値を変更することにより、図３に示すように冷却水の検出温度とファン１９の周波数との対応関係が変更される。
【００５０】
より具体的には、再生器６０への入熱量が小さくなるにつれて比例ゲインを小さくし、大きくなるにつれて比例ゲインを大きくする。この比例ゲインは、数１式に示すように、各成分項とＭｏの両方にかかるものであるから、例えば再生器６０への入熱量が１００％のときを基準に考えると、入熱量が小さくなるにつれて冷却水の検出温度に対するファン１９の周波数が全体的に低くなり、傾きがなだらかになる。
【００５１】
なお、図３は再生器６０への入熱量が１００％と２５％の場合を代表的に記載するものであり、その他、入熱量に対応した冷却水の検出温度とファン１９の周波数との対応関係が適宜決定される。
【００５２】
このように、本実施例によれば、吸収式冷温水機の負荷が変動する場合に、この変動に追従して冷却水の検出温度とファン１９の周波数との対応関係を適切なものに補正することができる。
【００５３】
すなわち、熱源機の負荷が変動して小さくなる場合は、高負荷の場合に比べて低めの周波数でファン１９を駆動して冷却水の冷却能力を下げるのが好ましい。本実施例によれば、実際の負荷より大きな負荷に対応した高い周波数でファン１９を駆動することを抑制して省エネルギー化を図ることができ、かつ冷却水の過冷却を抑制して冷却水温度を目標温度に適切に制御することができる。
【００５４】
一方、検出された負荷が大きくなれば冷却水の検出温度に対応して設定されているファンの周波数を大きく補正して冷却能力を上げることにより、冷却水を適切に冷却することができる。また、比例ゲインを用いて出力値を補正することにより、外乱に対して予測的な動きとなるため冷却水の温度制御の安定性が向上する。
【００５５】
なお、本実施例はＰＩＤ制御を基本制御としているが、これに限らず、例えばＰ制御、或いはＰＩ制御を基本制御とすることができる。また、このような制御関数を用いることなく、例えば冷却水の検出温度に対応するファン１９の周波数が設定されたテーブルを、再生器６０への入熱量ごとに複数設けておき、再生器６０への入熱量とＣＴＩに応じたファン１９の周波数を複数のテーブルから選択するようにしてもよい。
【実施例２】
【００５６】
本実施例は、第１実施例の制御に加えて、ＣＴＩに基づいて目標温度（Ｍｐ）を適宜変更する制御を行い、省エネルギー化を図る実施例である。第１実施例と同様の部分については説明を省略する。
【００５７】
制御装置５３は、ＣＴＩが、あらかじめ設定された時間以上継続して高温閾値温度（３０℃）より高い場合、目標温度（Ｍｐ：２８℃）を例えば２９℃へと１℃高くする。
【００５８】
これは、吸収式冷温水機の負荷に応じて目標温度（Ｍｐ）を可変にするものである。つまり、ある時間以上継続して冷却水温度が高温閾値温度より高いということは、吸収式冷温水機の負荷が高く、冷却水の目標温度に対する検出温度の偏差が大きい状態を示している。ファン１９を継続して設定上限周波数で駆動し続けることは省エネルギーの観点から好ましくない。そこで、この場合は目標温度を高くして、現在の冷却水温度に目標温度を近づけることにより、冷却水の目標温度と検出温度との偏差を小さくしてファンの周波数を低減させ、その結果、省エネルギー化を図ることができる。
【００５９】
一方、制御装置５３は、ＣＴＩが、あらかじめ設定された時間以上継続して低温閾値温度（２６℃）より低い場合、目標温度を２８℃から２７℃へ１℃低くする。
【００６０】
この場合は、吸収式冷温水機の負荷が小さく、冷却水の目標温度に対する検出温度の偏差が大きい状態を示している。そこで上述と同様に、目標温度を低くして偏差を小さくすることにより、ファン１９の周波数を低減させてファン１９の発停を極力避けることにより冷却水が安定するので、システム全体として省エネルギー化を図ることができる。
【図面の簡単な説明】
【００６１】
【図１】本実施形態の熱源機システムの全体構成を示す図である。
【図２】制御装置の詳細構成を示すブロック図である。
【図３】本実施形態の熱源機システム及び冷却塔における制御装置の冷却水の検出温度とファンの周波数との対応関係を示す図である。
【符号の説明】
【００６２】
１０  冷却塔
１１  ケーシング
１２  空気流入口
１４  充填材
１５  散水ノズル
１６  開口
１８  ファンモータ
１９  ファン
２０  熱源機
３０  冷却水配管
３１  往管
３２  復管
５０  運転制御装置
５１  冷却水温度センサー
５３  制御装置
５５  インバータ装置
６０  再生器
６５  ガス流量センサー
１００  熱源機システム
【図１】
2010060204.tif 000003
【図２】
2010060204.tif 000004
【図３】
2010060204.tif 000005